(57)【要約】【課題】容器注出口部に螺着して施蓋閉栓したキャップを開封方向に回転させてリング状バンド部を切り破って開栓する際、あるいはハーフカット部を切り離して開栓する際に、最低限度に保証される所定の幅よりもより幅広に設定し、キャップの外周面に刻設されているローレットの幅を幅狭に設定してもキャップの外周面で手指が滑って開栓し難い問題を解消し、キャップの外周面と手指との間に十分な摩擦力を発生させるようにする。【解決手段】キャップＡのローレット２ｂの無い又はローレット２ｂの刻設された円筒部２の外周に母線方向に突出する複数のライン状突起部２ｃを設けるか、又はローレット２ｂの無い又はローレット２ｂの刻設された円筒部２とリング状バンド部の外周に母線方向に突出する複数のライン状突起部２ｃ、４ｃを設けた。【選択図】図１
2006001600.tif 000002
【特許請求の範囲】
【請求項１】
天板部１と、筒内周に螺子部２ａが設けられた円筒部２と、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に母線方向に突出する複数のライン状突起部２ｃを設けたことを特徴とする不正開封防止機能付きプラスチック口栓キャップ。
【請求項２】
天板部１と、筒内周に螺子部２ａが設けられた円筒部２と、該円筒部２の外周に母線方向に微細凹凸ライン状に刻設されたローレット２ｂと、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に前記ローレット２ｂの刻設面より高く母線方向に突出する複数のライン状突起部２ｃを設けたことを特徴とする不正開封防止機能付きプラスチック口栓キャップ。
【請求項３】
前記円筒部２の外周面又は円筒部２のローレット２ｂの刻設頂部から前記ライン状突起部２ｃの頂部までの高さが、０．５ｍｍ〜３ｍｍの範囲であることを特徴とする請求項１又は２記載の不正開封防止機能付きプラスチック口栓キャップ。
【請求項４】
天板部１と、筒内周に螺子部２ａが設けられた円筒部２と、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２とリング状バンド部４のそれぞれ外周に母線方向に高く突出する複数のそれぞれライン状突起部２ｃ、４ｃを設けたことを特徴とする不正開封防止機能付きプラスチック口栓キャップ。
【請求項５】
天板部１と、筒内周に螺子部２ａが設けられた円筒部２と、該円筒部２の外周に母線方向に微細凹凸ライン状に刻設されたローレット２ｂと、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２とリング状バンド部４のそれぞれ外周に前記ローレット２ｂの刻設面より高く母線方向に突出する複数のそれぞれライン状突起部２ｃ、４ｃを設けたことを特徴とする不正開封防止機能付きプラスチック口栓キャップ。
【請求項６】
前記円筒部２の外周面又は円筒部２のローレット２ｂの刻設頂部から前記ライン状突起部２ｃ、４ｃの頂部までの高さが、それぞれ０．５ｍｍ〜３ｍｍの範囲であることを特徴とする請求項４又は５記載の不正開封防止機能付きプラスチック口栓キャップ。
【発明の詳細な説明】
【技術分野】
【０００１】
本発明は、牛乳、ジュース等の飲料や液状食品、あるいは液状非食品を充填包装する紙パック等の液体包装用紙容器をはじめとして、各種のプラスチック容器等の液体包装容器の注出口として取り付けるための不正開封防止機能付きプラスチック口栓キャップに関する。
【背景技術】
【０００２】
一般に不正開封防止機能付きプラスチック口栓は、図５（ａ）に示すように、キャップＡと、該キャップＡによって施蓋封止される開封用のプルリング１８を備えたプルオープンタイプのプルリング付きの容器注出口部Ｂ、又はプルリングの無い容器注出口部Ｂ（図示せず）からなり、キャップＡと容器注出口部Ｂとは互いに所定の開封防止構造を備え、キャップＡを注出口部Ｂに螺着して閉栓封止することができ、キャップＡを開栓した際には、再度、元の閉栓状態の形状に復元できない構造になっていて、容器の未開栓性（バージン性）を付与するために使用されている。
【０００３】
一般的に上記の不正開封防止機能付きプラスチック口栓のキャップＡとしては、例えば図５（ａ）の側断面図に示すように、天板部１と、円周面に母線方向にローレット２ｂを刻設した円筒部２と、該円筒部２の筒内周に設けた螺子部２ａと、該円筒部２の下端部に、必要に応じて設けたハーフカット線３を介してリング状に連設した薄板状のリング状バンド部４と、該リング状バンド部４の母線方向の一部に設けたリング状バンド部４を容易に破断するための易破断部として切欠部６とを備え、該バンド部４のリング内周下端に、その下端に沿うヒンジ線５ａを介して、図５（ｂ）のＬ−Ｌ平面断面図に示すリング中心内方に向かって略水平方向から起立方向に折り曲げ可能に延設した複数枚の係止板５を備えた各種形態の不正開封防止機能付きプラスチックキャップＡがある。
【０００４】
ところで、上記のような不正開封防止機能付きプラスチックキャップＡは、図５（ａ）の側断面図に示すように、キャップ円筒部２の螺子部２ａを、プラスチックボトルの注出口部Ｂや紙製容器に取付けられる注出口部Ｂの円筒部１３の外周に設けた螺子部１３ａに螺着しながら、リング状バンド部４を該注出口部Ｂの外周にリング状に設けた凸部１４に嵌入して取り付けられるものであるが、その際に、図５（ｂ）の平面図に示すリング状バンド部４の下端内周に延設した複数枚の水平方向の係止板５は、容器の注出口部Ｂの外周にリング状に設けた凸部１４を乗り越えて嵌入し、折り曲げ部５ａを介して起立方向に折り曲げられ、その係止板５の先端部５ｂは、注出口部Ｂの凸部１４下部に係合して、キャップＡは、容器注出口部Ｂから外れないように係止され閉栓されて取り付けられるようになっている。なお、紙製容器に取付けられる注出口部Ｂの場合には、円筒部１３下端の基部１１（キャップＡの外周と略同径の外周を備える基部１１）外周にはフランジ板１９を備え、口栓は、該フランジ板１９を介して液体包装用紙製容器２０の上面板２２に孔設した口栓取り付け孔２２ａに整合して上面板２２の外面に取り付けられ、あるいは、図１１に示すように、口栓は、該フランジ板１９を介して液体包装用紙製容器２０の上面板２２に孔設した口栓取り付け孔２２ａ内に上面板２２の内面側から挿入して取付けられる。
【０００５】
そして、図５（ａ）に示す容器注出口部Ｂに螺着して施蓋したキャップＡの円筒部２を開封方向に回転させると、円筒部２とリング状バンド部４は共に、容器注出口部Ｂの上端方向に徐々に旋回移動し、容器の注出口部Ｂの円筒部１３の外周の凸部１４下部に係合している該バンド部４の係止板５には、バンド部４の直径を拡張する水平姿勢方向への応力が掛かり、バンド部４の切欠部６にも拡張による張力が掛かり、やがて、バンド部４は円筒部２に接続した状態で切欠部６から破断して不正開封が検知できるものである。
【０００６】
また、図６（ａ）に示すように、不正開封防止機能付きプラスチック口栓のキャップＡを螺着して施蓋した注出口部Ｂとしては、その外周にリング状に設けた前記凸部１４下部外周に、前記複数の係止板５の枚数に対応する数の該係止板５が嵌合する凹部が形成されるように複数の凸部１５を設けたものがあり、図６（ａ）に示す容器注出口部Ｂに螺着したキャップＡの円筒部２を開封方向に回転させると、円筒部２とリング状バンド部４は共に容器注出口部Ｂの上端方向に徐々に旋回移動しようとするが、容器の注出口部Ｂの円筒部１３の外周の凸部１４下部の各々凹部（各凸部１５の間）に係合している該バンド部４の係止板５によってリング状バンド部４は回転せず、円筒部２とリング状バンド部４は、その間のハーフカット３を介して互いに切り離され、不正開封が検知できるものである。なお、図７は、図６（ａ）に示す不正開封防止機能付きプラスチック口栓のキャップＡからリング状バンド部４をハーフカット３を介して切り離した状態の側断面図である。
【０００７】
図８（ａ）、図９（ａ）、図１０（ａ）は、不正開封防止機能付きプラスチック口栓として使用される従来の一般的なキャップＡの各種構造を示す側面図、図８（ｂ）、図９（ｂ）、図１０（ｂ）はその上面図であり、図８（ａ）に示すキャップＡは、リング状バンド部４の下部に繋ぎ部６ａのあるバンド部４破断用の切欠部６が設けられ、また、図９（ａ）に示すキャップＡは、リング状バンド部４の上部に繋ぎ部６ａのあるバンド部４破断用の切欠部６が設けられ、図１０（ａ）に示すキャップＡは、リング状バンド部４の母線方向の一部に縦方向のいずれにも繋ぎ部６ａのないハーフカット形式によるバンド部４破断用の切欠部６が設けられている。
【０００８】
そして、上記キャップＡと注出口部Ｂとによる不正開封防止機能付きプラスチック口栓は、図１１の全体斜視図に示すように、例えば、角筒状の液体紙製容器２０（液体包装用紙パック）の上面板２２に孔設した口栓取り付け孔（図示せず）に整合して取り付けられるものであるが、例えば、液体充填包装機等のヒートシル手段を用いて容器２０のトップシール部２１を矢印方向から押圧してヒートシールする充填包装工程等においては、ヒートシル手段が口栓に衝突しないようにする必要があり、容器本体の製函包装仕様に対応する口栓、所謂、キャップＡのサイズや高さＨの上限に規制があるものである。
【０００９】
そのために、キャップＡの高さＨの上限規制のある口栓の不正開封機能（ＴＥ機能）を前記リング状バンド部４によって十分に保証するためには、該バンド部４のバンド幅ＷB を、最低限度に保証される所定の幅よりもより幅広に設定して、バンド部４が切り破られていること、あるいはハーフカット部３が切り離されていること等の不正開封された事実を、客観的且つ視覚的に明確に認識できるようにすることが必要があり、そのためには、キャップＡの円筒部２の外周面に刻設されたローレット２ｂの幅ＷR を、それだけ幅狭に設定しなければならず、手指によるキャップＡの開封方向へのバンド部４の切り破りに要する回転トルク、あるいはハーフカット部３の切り離しに要する回転トルクに抗して必要とする摩擦力が低下して、キャップＡの開封時に、円筒部２の外周面にて手指が滑って開封し難い問題が発生する。
【００１０】
上記の不正開封防止機能付きプラスチック口栓のキャップＡに関する技術としては、例えば、実公昭４６−２４１４９号公報、実公昭４６−２４１５１号公報、ＵＳＰ．Ｎｏ．４５５０８４４号公報、特開平８−４８３５０号公報、特開平８−９１４０１号公報、特開平１０−２１８２１１号公報などがある。
【００１１】
また、上記プルオープンタイプのプルリング付き注出口部Ｂに関する技術としては、例えば、特開平６−２４４５９号公報、実開平５−７２７５５号などがある。
【００１２】
以下に、公知の特許文献を記載する。
【特許文献１】特開平６−２４４５９号公報
【特許文献２】実開平５−７２７５５号
【特許文献３】実公昭４６−２４１４９号公報
【特許文献４】実公昭４６−２４１５１号公報
【特許文献５】ＵＳＰ．Ｎｏ．４５５０８４４号公報
【特許文献６】特開平８−４８３５０号公報
【特許文献７】特開平８−９１４０１号公報
【特許文献８】特開平１０−２１８２１１号公報
【発明の開示】
【発明が解決しようとする課題】
【００１３】
本発明の課題は、不正開封防止機能付きプラスチック口栓キャップにおいて、容器注出口部に螺着して施蓋閉栓したキャップを開封方向に回転させて、リング状バンド部を切り破って開栓する際、あるいはハーフカット部を切り離して開栓する際に、不正開封機能をリング状バンド部によって十分に保証するために、該バンド部のバンド幅を、最低限度に保証される所定の幅よりもより幅広に設定し、キャップの外周面に刻設されているローレットの幅を幅狭に設定しても、キャップの外周面で手指が滑って開栓し難い問題が解消できて、キャップの外周面と手指との間に十分な摩擦力を発生させて容易に開栓できるようにすることにある。
【課題を解決するための手段】
【００１４】
本発明の請求項１に係る発明は、天板部１と、筒内周に螺子部２ａが設けられた円筒部２と、該円筒部２の下端部に、ハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に、母線方向に突出する複数のライン状突起部２ｃを設けたことを特徴とする不正開封防止機能付きプラスチック口栓キャップである。
【００１５】
本発明の請求項２に係る発明は、天板部１と、筒内周に螺子部２ａが設けられた円筒部２と、該円筒部２の外周に母線方向に微細凹凸ライン状に刻設されたローレット２ｂと、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に前記ローレット２ｂの刻設面より高く母線方向に突出する複数のライン状突起部２ｃを設けたことを特徴とする不正開封防止機能付きプラスチック口栓キャップである。
【００１６】
本発明の請求項３に係る発明は、上記請求項１又は２に係る不正開封防止機能付きプラスチック口栓キャップにおいて、前記円筒部２の外周面又は円筒部２のローレット２ｂの
刻設頂部から前記ライン状突起部２ｃの頂部までの高さが、０．５ｍｍ〜３ｍｍの範囲であることを特徴とする不正開封防止機能付きプラスチック口栓キャップである。
【００１７】
本発明の請求項４に係る発明は、天板部１と、筒内周に螺子部２ａが設けられた円筒部２と、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２とリング状バンド部４のそれぞれ外周に母線方向に高く突出する複数のそれぞれライン状突起部２ｃ、４ｃを設けたことを特徴とする不正開封防止機能付きプラスチック口栓キャップである。
【００１８】
本発明の請求項５に係る発明は、天板部１と、筒内周に螺子部２ａが設けられた円筒部２と、該円筒部２の外周に母線方向に微細凹凸ライン状に刻設されたローレット２ｂと、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２とリング状バンド部４のそれぞれ外周に前記ローレット２ｂの刻設面より高く母線方向に突出する複数のそれぞれライン状突起部２ｃ、４ｃを設けたことを特徴とする不正開封防止機能付きプラスチック口栓キャップである。
【００１９】
本発明の請求項６に係る発明は、上記請求項４又は５に係る不正開封防止機能付きプラスチック口栓キャップにおいて、前記円筒部２の外周面又は円筒部２のローレット２ｂの刻設頂部から前記ライン状突起部２ｃ、４ｃの頂部までの高さが、それぞれ１ｍｍ〜３ｍｍの範囲であることを特徴とする不正開封防止機能付きプラスチック口栓キャップである。
【発明の効果】
【００２０】
本発明の不正開封防止機能付きプラスチック口栓キャップによれば、キャップ本体を構成する円筒部２の外周の３個所乃至それ以上の複数個所の母線方向に、高く突出するライン状突起部２ｃを設けたので、容器注出口部に螺着して施蓋閉栓した状態のキャップを、その円筒部を手指にて掴み、開封方向に回転させることにより、リング状バンド部を切り破って、あるいはハーフカット部を切り離して、不正開封防止機能付きプラスチック口栓を開栓する際には、３個所乃至それ以上の複数個所の母線方向に高く突出して設けたライン状突起部２ｃによって、キャップの外周面と手指との間には十分な摩擦力を発生させることができ、キャップの外周面で手指が滑ることなく、開栓に必要なトルクを以て容易に開栓することができる。
【００２１】
また、例えば、不正開封防止機能付きプラスチック口栓キャップの不正開封機能をリング状バンド部によって十分に保証するために、該バンド部のバンド幅を、最低限度に保証される所定の幅よりも、より幅広に設定し、それによってキャップの円筒部の外周面の幅又はキャップの円筒部の外周面に刻設されているローレットの幅を幅狭に設定しなければならない場合においても、本発明によるライン状突起部２ｃによって、その円筒部の外周面が幅狭のために手指がキャップの外周面で滑って開栓し難いという問題が解消でき、キャップの外周面と手指との間に十分な摩擦力を以て容易に開栓することができるようになるものである。
【００２２】
また、本発明の不正開封防止機能付きプラスチック口栓キャップの円筒部２だけでなくリング状バンド部４にもライン状突起部４ｃを設けたことにより、例えば、容器注出口部
に螺着して施蓋閉栓した状態の前記キャップを、その円筒部を手指にて掴み、開封方向に回転させることにより、リング状バンド部を切り破って開栓した後に、該リング状バンド部を円筒部から切り離す前に、直ちに該キャップを容器注出口部に螺着して閉栓して、一見して元の施蓋閉栓の状態に戻したとしても、円筒部２のライン状突起部２ｃとリング状バンド部４のライン状突起部４ｃとの整合された円周位相位置が元の位置に整合せずにズレが発生する。そのためにキャップが開栓（開封）されていることが、キャップの外観から目視により一見して確認することが可能となるものである。
【発明を実施するための最良の形態】
【００２３】
本発明の不正開封防止機能付きプラスチック口栓キャップを、実施の形態に基づいて以下に詳細に説明する。
【００２４】
本発明の請求項１に係る不正開封防止機能付きプラスチック口栓キャップは、図１（ａ）の側面図、及び図５（ａ）の側断面図に示すように、天板部１により一方が閉鎖された円筒部２の筒内周に螺子部２ａが設けら、該円筒部２の下端部には、ハーフカット部３を介してリング状に連設された薄板状のリング状バンド部４を備えている。
【００２５】
前記リング状バンド部４の母線方向には、図１（ａ）に示すように、該バンド部４を容易に破断するための切欠部６又はハーフカット部６が設けられている。
【００２６】
図５（ａ）の側断面図及び図５（ｂ）のＬ−Ｌ平面断面図に示すように、前記リング状バンド部４のリング内周下端には、ヒンジ５ａを介して、該リング状バンド部４のリング内方中心に向かって略水平方向に延設した複数枚の係止板５を備えている。
【００２７】
前記円筒部２の外周には、図１（ａ）の側面図、図１（ｂ）の上面図に示すように、母線方向に突出する３個のライン状突起部２ｃが設けられている。
【００２８】
本発明の請求項２に係る不正開封防止機能付きプラスチック口栓キャップは、図１（ａ）の側面図、及び図５（ａ）の側断面図に示すように、天板部１により一方が閉鎖された円筒部２の筒内周に螺子部２ａが設けら、該円筒部２の下端部には、ハーフカット部３を介してリング状に連設された薄板状のリング状バンド部４を備えている。
【００２９】
前記リング状バンド部４の母線方向には、図１（ａ）に示すように、該バンド部４を容易に破断するための切欠部６又はハーフカット部６が設けられている。
【００３０】
図５（ａ）の側断面図及び図５（ｂ）のＬ−Ｌ平面断面図に示すように、前記リング状バンド部４のリング内周下端には、ヒンジ５ａを介して、該リング状バンド部４のリング内方中心に向かって略水平方向に延設した複数枚の係止板５を備えている。
【００３１】
図１（ａ）の側面図、図１（ｂ）の上面図に示すように、前記円筒部２の外周には、母線方向に微細凹凸ライン状にローレット２ｂが刻設されているとともに、その外周には、前記ローレット２ｂの刻設面より高く母線方向に突出する３個のライン状突起部２ｃが設けられている。
【００３２】
本発明の不正開封防止機能付きプラスチック口栓キャップにおいては、前記ライン状突起部２ｃの高さ、即ち、円筒部２の外周面、又は円筒部２のローレット２ｂの刻設頂部から突起部２ｃの頂部までの高さは、本発明においては特に限定されないが、例えば、０．５ｍｍ〜３ｍｍ程度が適当である。
【００３３】
本発明の請求項４に係る不正開封防止機能付きプラスチック口栓キャップは、図１（ａ
）の側面図、及び図５（ａ）の側断面図に示すように、天板部１により一方が閉鎖された円筒部２の筒内周に螺子部２ａが設けら、該円筒部２の下端部には、ハーフカット部３を介してリング状に連設された薄板状のリング状バンド部４を備えている。
【００３４】
前記リング状バンド部４の母線方向には、図１（ａ）に示すように、該バンド部４を容易に破断するための切欠部６又はハーフカット部６が設けられている。
【００３５】
図５（ａ）の側断面図及び図５（ｂ）のＬ−Ｌ平面断面図に示すように、前記リング状バンド部４のリング内周下端には、ヒンジ５ａを介して、該リング状バンド部４のリング内方中心に向かって略水平方向に延設した複数枚の係止板５を備えている。
【００３６】
前記円筒部２の外周とリング状バンド部４の外周には、図１（ａ）の側面図、図１（ｂ）の上面図に示すように、母線方向に突出するそれぞれ３個のライン状突起部２ｃ、４ｃが、各々外周の位相位置を整合させて設けられている。
【００３７】
本発明の不正開封防止機能付きプラスチック口栓キャップにおいては、前記ライン状突起部２ｃ、４ｃの高さ、即ち、円筒部２の外周面、又は円筒部２のローレット２ｂの刻設頂部から突起部２ｃ、４ｃの頂部までの高さは、本発明においては特に限定されないが、例えば、０．５ｍｍ〜３ｍｍ程度が適当である。
【００３８】
本発明の請求項５に係る不正開封防止機能付きプラスチック口栓キャップは、図１（ａ）の側面図、及び図５（ａ）の側断面図に示すように、天板部１により一方が閉鎖された円筒部２の筒内周に螺子部２ａが設けら、該円筒部２の下端部には、ハーフカット部３を介してリング状に連設された薄板状のリング状バンド部４を備えている。
【００３９】
前記リング状バンド部４の母線方向には、図１（ａ）に示すように、該バンド部４を容易に破断するための切欠部６又はハーフカット部６が設けられている。
【００４０】
図５（ａ）の側断面図及び図５（ｂ）のＬ−Ｌ平面断面図に示すように、前記リング状バンド部４のリング内周下端には、ヒンジ５ａを介して、該リング状バンド部４のリング内方中心に向かって略水平方向に延設した複数枚の係止板５を備えている。
【００４１】
前記円筒部２の外周とリング状バンド部４の外周には、図１（ａ）の側面図、図１（ｂ）の上面図に示すように、母線方向に突出するそれぞれ３個のライン状突起部２ｃ、４ｃが、各々外周の位相位置を整合させて設けられている。
【００４２】
本発明の請求項５に係る不正開封防止機能付きプラスチック口栓キャップは、図１（ａ）の側面図、及び図５（ａ）の側断面図に示すように、天板部１により一方が閉鎖された円筒部２の筒内周に螺子部２ａが設けら、該円筒部２の下端部には、ハーフカット部３を介してリング状に連設された薄板状のリング状バンド部４を備えている。
【００４３】
前記リング状バンド部４の母線方向には、図１（ａ）に示すように、該バンド部４を容易に破断するための切欠部６又はハーフカット部６が設けられている。
【００４４】
図５（ａ）の側断面図及び図５（ｂ）のＬ−Ｌ平面断面図に示すように、前記リング状バンド部４のリング内周下端には、ヒンジ５ａを介して、該リング状バンド部４のリング内方中心に向かって略水平方向に延設した複数枚の係止板５を備えている。
【００４５】
図１（ａ）の側面図、図１（ｂ）の上面図に示すように、前記円筒部２の外周には、母線方向に微細凹凸ライン状にローレット２ｂが刻設されているとともに、その円筒部２の
外周には、ローレット２ｂの刻設面より高く母線方向に突出する３個のライン状突起部２ｃが設けられ、また、リング状バンド部４の外周にも、母線方向に突出するそれぞれ３個のライン状突起部４ｃが設けられ、それぞれライン状突起部２ｃ、４ｃは、各々外周の位相位置を整合させて設けられている。
【００４６】
図２（ａ）は、本発明の不正開封防止機能付きプラスチック口栓キャップの他の実施の形態を示す側面図、図２（ｂ）は、その上面図であり、円筒部２の外周に、４個のライン状突起部２ｃを設けたものであり、又は、円筒部２の外周とリング状バンド部４の外周とに、それぞれ４個のライン状突起部２ｃ、４ｃを各々外周の位相位置を整合させて設けたものである。
【００４７】
また、図３（ａ）は、本発明の不正開封防止機能付きプラスチック口栓キャップのその他の実施の形態を示す側面図、図３（ｂ）は、その上面図であり、円筒部２の外周に、５個のライン状突起部２ｃを設けたものであり、又は、円筒部２の外周とリング状バンド部４の外周とに、それぞれ５個のライン状突起部２ｃ、４ｃを各々外周の位相位置を整合させて設けたものである。
【００４８】
本発明の上記の不正開封防止機能付きプラスチック口栓キャップＡと注出口部Ｂとによる不正開封防止機能付きプラスチック口栓は、図１１の全体斜視図に示すように、例えば角筒状の液体紙製容器２０（液体包装用紙パック）の上面板２２に孔設した口栓取り付け孔２２ａに整合して取り付けられるものである。
【００４９】
図４（ａ）は、本発明の実施例における不正開封防止機能付きプラスチック口栓キャップＡと注出口部Ｂとによる不正開封防止機能付きプラスチック口栓の側断面図であり、キャップＡの円筒部２の外周とリング状バンド部４の外周とに、それぞれライン状突起部２ｃ、４ｃを設けたものであり、図４（ｂ）は、図４（ａ）に示す不正開封防止機能付きプラスチック口栓を、角筒状の液体紙製容器２０（液体包装用紙パック）の上面板２２に孔設した口栓取り付け孔２２ａに整合して、その容器２０の内面側から口栓取り付け孔２２ａ内に挿入して、図１１の全体斜視図に示すように取り付けた状態を説明する側断面図である。
【００５０】
なお、注出口部Ｂには、円筒部１３下端の基部１１（キャップＡの外周と略同径の外周を備える基部１１）下端外周にフランジ板１９を備え、口栓は、外付けの場合、該フランジ板１９を介して液体包装用紙製容器２０の上面板２２に孔設した口栓取り付け孔２２ａに整合して上面板２２の外面に取り付けられるか、あるいは、図１１に示すように、口栓は、内付けの場合、該フランジ板１９を介して液体包装用紙製容器２０の上面板２２に孔設した口栓取り付け孔２２ａ内に上面板２２の内面側から挿入して取付けられる。
【００５１】
図４（ｂ）に示すように、本発明の不正開封防止機能付きプラスチック口栓キャップＡは、その円筒部２の外周だけでなく、リング状バンド部４の外周にライン状突起部４ｃが設けられており、キャップＡを液体紙製容器２０（液体包装用紙パック）の上面板２２に孔設した口栓取り付け孔２２ａ内に、口栓をキャップＡ側から挿入した際には、その上面板２２の取り付け孔２２ａ内周端縁部がリング状バンド部４外周のライン状突起部４ｃと注出口部Ｂのフランジ部１９との間に係合して、口栓は容器２０の上面板２２の取り付け孔２２ａ内に仮り止めされる。
【００５２】
そのために、リング状バンド部４外周のライン状突起部４ｃは、容器２０の上面板２２の内面（熱可塑性樹脂層面）にプラスチック製の注出口部Ｂのフランジ部１９上面を超音波加熱手段にて加熱融着して口栓を容器２０に取り付ける際の仮り止め作用があり、口栓の融着取り付け工程を円滑に行うことができ、また、従来のように、注出口部Ｂの円筒部
１３下端の基部１１外周におけるフランジ部１９と対向する位置に設けていた口栓を容器２０の取り付け孔２２ａに仮り止めするための仮り止め用リブ（突起部、仮りセットリブ）を設けることなく省略することができ、そのために、注出口部Ｂのプラスチック成形におけるＣＡＤ設計等において、円筒部１３下端の基部１１の外径を余裕を以て大きく設定することができるようになる。
【図面の簡単な説明】
【００５３】
【図１】（ａ）は本発明の不正開封防止機能付きプラスチック口栓キャップの側面図、（ｂ）はその上面図。
【図２】（ａ）は本発明の不正開封防止機能付きプラスチック口栓キャップの側面図、（ｂ）はその上面図。
【図３】（ａ）は本発明の不正開封防止機能付きプラスチック口栓キャップの側面図、（ｂ）はその上面図。
【図４】（ａ）は本発明の不正開封防止機能付きプラスチック口栓キャップの側断面図、（ｂ）は本発明の不正開封防止機能付きプラスチック口栓キャップを液体包装用紙製容器（紙パック）の上面板に取り付けた状態を説明する側断面図。
【図５】（ａ）は一般的な不正開封防止機能付きプラスチック口栓の側断面図、（ｂ）はそのＬ−Ｌ平面断面図。
【図６】（ａ）は一般的な不正開封防止機能付きプラスチック口栓の側断面図、（ｂ）はそのＬ−Ｌ平面断面図。
【図７】一般的な不正開封防止機能付きプラスチック口栓を開栓してキャップからリング状バンド部をハーフカット３を介して切り離した状態の側断面図。
【図８】（ａ）は一般的な不正開封防止機能付きプラスチック口栓キャップの側面図、（ｂ）はその上面図。
【図９】（ａ）は一般的な不正開封防止機能付きプラスチック口栓キャップの側面図、（ｂ）はその上面図。
【図１０】（ａ）は一般的な不正開封防止機能付きプラスチック口栓キャップの側面図、（ｂ）はその上面図。
【図１１】一般的な不正開封防止機能付きプラスチック口栓を取り付けた液体包装用紙製容器（紙パック）の外観斜視図。
【符号の説明】
【００５４】
Ａ…キャップ
Ｂ…注出口部
１…天板部                                                                    
２…円筒部
２ａ…螺子部
２ｂ…ローレット
２ｃ…ライン状突起部
３…ハーフカット部
４…リング状バンド部
４ｃ…ライン状突起部
５…係止板
５ａ…ヒンジ部
５ｂ…係止板先端部
６…切欠部（又はハーフカット部）
６ａ…繋ぎ部
２０…容器
２１…トップシール部
２２…上面板
２２ａ…口栓取り付け孔
Ｈ…口栓高さ
ＷB …リング状バンド部の幅
ＷR …ローレット幅
【図１】
2006001600.tif 000003
【図２】
2006001600.tif 000004
【図３】
2006001600.tif 000005
【図４】
2006001600.tif 000006
【図５】
2006001600.tif 000007
【図６】
2006001600.tif 000008
【図７】
2006001600.tif 000009
【図８】
2006001600.tif 000010
【図９】
2006001600.tif 000011
【図１０】
2006001600.tif 000012
【図１１】
2006001600.tif 000013